(57)【要約】【課題】  ゼッケンにＩＣタグを取り付けるためのＩＣタグ収納ラベルを提供する。【課題を解決するための手段】  ＩＣタグ収納ラベル１は、基材の裏面に粘着剤を設けるとともに剥離紙で被覆し、基材の表面には樹脂フィルム５をＩＣタグ収納空間７を形成するように周縁において接着し、剥離紙と基材には、ＩＣタグ収納空間７にＩＣタグ８を収納するための挿入口９を形成する一方、樹脂フィルム５には、互いに直交方向に伸びるミシン目からなり、両ミシン目の交わる部分が破断開始端となるとともに、破断開始端を円弧状スリット１２で形成してなる破断用ミシン目１１ａ，１１ｂ，１１ｃを設けたものであり、剥離紙を剥離して露出した粘着剤により、ゼッケン１３の裏面に基材を貼着する。円弧状スリット１２部分を摘んで引き上げると、破断用ミシン目１１ａ，１１ｂ，１１ｃが破断し、開口が形成されて、ＩＣタグ８を取り出すことができる。【選択図】    図５
2006145981.tif 000002
【特許請求の範囲】
【請求項１】
基材の裏面に粘着剤を設けるとともに剥離紙で被覆し、前記基材の表面には樹脂フィルムをＩＣタグ収納空間を形成するように周縁において接着し、前記剥離紙と前記基材には、前記ＩＣタグ収納空間に非接触型のＩＣタグを収納するための挿入口を形成する一方、前記樹脂フィルムには、互いに直交方向に伸びるミシン目からなり、両ミシン目の交わる部分が破断開始端となる破断用ミシン目を設けたことを特徴とするＩＣタグ収納ラベル。
【請求項２】
破断用ミシン目の破断開始端を円弧状スリットで形成したことを特徴とする請求項１記載のＩＣタグ収納ラベル。
【発明の詳細な説明】
【技術分野】
【０００１】
本発明は、ＩＣタグを収納するラベルに関し、特に、マラソンレースやオリエンテーリングなどの競技会やスポーツ行事で使用するゼッケンの裏面に、非接触型のＩＣタグを収納した状態で貼着しうるラベルに関する。
【背景技術】
【０００２】
従来、マラソンレースやオリエンテーリングなどの競技会やスポーツ行事では、参加者が胸と背中に付けたゼッケンに表示したゼッケン番号で、着順や順位を管理するのが一般的である。ところが、このゼッケン番号による管理は、審判員などの視認によるのが通常であるため、参加者が多人数の場合には、管理側も多数の人員が必要となり、対応が困難となる。例えば、参加者が多人数の場合には、十数人が固まってゴールするという事態がしばしば起きるが、この場合に、各参加者の着順やゴール時間を正確に把握するのは、困難である。
【０００３】
一方、参加者が千人単位となる市民マラソン大会などでは、スタート地点において、参加者の最前列にいる者と最後列にいる者との距離は、数十メートルから場合によっては数百メートルに及ぶことがあり、最後列にいる者はスタート時点において不利益を被っているという不都合がある。この不都合を解消するには、各参加者毎に、スタートライン通過時刻を把握して、ゴールラインまでの所定距離における正味の所要時間を計測する必要があるが、上記ゼッケン番号による人的管理では実現不可能であった。
【０００４】
このような事情に鑑み、近年、例えばゼッケン番号に対応するＩＤ番号をあらかじめ登録した、読み取り装置と非接触で登録データの読み取りが可能な非接触型のＩＣタグを利用して、参加者のスタート時間、ゴール時間、途中のチェックポイントの通過時間を把握し、所要タイムや着順を決定することが行われている。前記ＩＣタグは、参加者が身に付けることが必要である一方、高価なこともあって、ゴール後に再利用のため回収しているのが現状である。そして、この回収可能な取り付け手段としては、ＩＣタグを専用のリストバンドに固定したり、ＩＣタグを参加者の靴に靴紐を利用して取り付けたり、ＩＣタグをゼッケンに切り離し可能に連接した折返し部で包み込んで保持したりしている。しかし、専用のリストバンドを用意するのはコストの面で難点があり、また、靴に取り付けた場合は違和感があって走りにくいという不都合があるため、ゼッケンに取り付けるのが好ましい。
【特許文献１】特開平８−８４７号公報
【特許文献２】特開２００４−５７８０号公報
【発明の開示】
【発明が解決しようとする課題】
【０００５】
ところが、上記特許文献１で提案されているゼッケンに折返し部を設けてＩＣタグを取り付ける構造では、ＩＣタグの収納空間が小さく、また、包み込み動作時には収納空間の周囲に粘着剤が露出しているので、粘着剤にＩＣタグが接触しないように行うＩＣタグの収納作業は、収納位置や折り位置の正確な位置決めを要する煩雑な作業となる、という不都合があった。また、ＩＣタグを包み込んだシート状折返し部を破断して、ＩＣタグを取り出す作業も繁雑である、という不都合もあった。本発明は、このような不都合を解消した、ゼッケンにＩＣタグを取り付けるためのＩＣタグ収納ラベルを提供することを目的とする。
【課題を解決するための手段】
【０００６】
この目的を達成するため本発明の請求項１に係るＩＣタグ収納ラベルは、基材の裏面に粘着剤を設けるとともに剥離紙で被覆し、前記基材の表面には樹脂フィルムをＩＣタグ収納空間を形成するように周縁において接着し、前記剥離紙と前記基材には、前記ＩＣタグ収納空間に非接触型のＩＣタグを収納するための挿入口を形成する一方、前記樹脂フィルムには、互いに直交方向に伸びるミシン目、例えば、横方向に伸びるミシン目と、このミシン目の中央部から縦方向に伸びるミシン目とからなり、両ミシン目の交わる部分が破断開始端となる破断用ミシン目を設けたものである。
【０００７】
また、同じく上記目的を達成するために本発明の請求項２に係るＩＣタグ収納ラベルは、上記請求項１に係るＩＣタグ収納ラベルの構成において、破断用ミシン目の破断開始端を円弧状スリットで形成したことを特徴とする。
【発明の効果】
【０００８】
本発明の請求項１に係るＩＣタグ収納ラベルによれば、ＩＣタグの収納空間に粘着剤が露出していないので、その収納動作が容易であり、このＩＣタグ収納後に剥離紙を剥離して露出した基材の粘着剤によって、ゼッケンの裏面の所望位置に貼付することができる一方、ＩＣタグの取り出しは、破断用ミシン目を破断して開くと大きな開口が形成できるので、ゼッケンを装着したままの状態でも、参加者（装着者）自身がゼッケンの裏側に手を入れて破断用ミシン目を破断し、容易に行うことができる、という効果を奏する。
【０００９】
本発明の請求項２に係るＩＣタグ収納ラベルによれば、破断用ミシン目の破断開始端を円弧状スリットで形成することによって、このスリット部分を摘むことができるので、破断用ミシン目の破断作業がより容易になる、という効果を奏する。
【発明を実施するための最良の形態】
【００１０】
以下、本発明の好適な実施形態について添付図面に基づき説明する。ここにおいて、図１はＩＣタグ収納ラベルの正面図、図２は同じく背面図、図３は図１のＡ−Ａ線断面図、図４は接着構造を示す概略的な部分拡大断面図、図５はＩＣタグを収納したＩＣタグ収納ラベルをゼッケンの裏面に貼付した状態を示す正面図、図６は図５のＢ−Ｂ線断面図、図７は破断用ミシン目の破断状態を示す正面図である。
【００１１】
図１〜図４に示すように、ＩＣタグ収納ラベル１は、基材２の裏面に粘着剤３を設けるとともに剥離紙４で被覆し、前記基材２の表面には透明な樹脂フィルム５をＩＣタグ収納空間７を形成するように周縁において粘着剤６で接着している。なお、粘着剤３，６については図４にのみ示している。また、前記剥離紙４と前記基材２には、前記ＩＣタグ収納空間７に公知の非接触型のＩＣタグ８（図５参照）を収納するための挿入口９をスリットで形成している。さらに、前記剥離紙４には、その剥離動作を容易にするための剥離開始端を形成すべくスリット１０を設けている。
【００１２】
図１に示すように、樹脂フィルム５には、ＩＣタグ収納空間７に対応する部分に、互いに直交方向に伸び、全体がほぼ逆Ｔ字状の破断用ミシン目１１ａ，１１ｂ，１１ｃを設け、この破断用ミシン目１１ａ，１１ｂ，１１ｃの破断開始端となる互いの交わる部分を、円弧状スリット１２で形成し、指で摘めるようにしている。
【００１３】
続いて、上述したＩＣタグ収納ラベル１の使用方法を説明する。まず、参加者のゼッケン番号と一対一で対応するＩＤ番号（通常はゼッケン番号と同一番号）をあらかじめ登録した非接触型のＩＣタグ８を、挿入口９からＩＣタグ収納空間７に挿入して、前記ＩＣタグ８を前記ＩＣタグ収納ラベル１に収納する（図５，図６参照）。ここで、樹脂フィルム５は透明なので、ＩＣタグ８の収納状態を確認可能である。なお、前記ＩＣタグ８は公知のものから適宜選択して使用すればよい。次に、剥離紙４を剥離して粘着剤３を露出し、この粘着剤３によって基材２を、前記ＩＣタグ８に登録したＩＤ番号に対応するゼッケン番号（図示せず）のゼッケン１３の裏面に貼着する。これによって、図５及び図６に示すように、開口部９はゼッケン１３の裏面で閉鎖されるので、前記ＩＣタグ８は、前記ＩＣタグ挿入空間７に閉塞収納された状態で、ゼッケン１３に取り付けられることとなる。参加者はこのゼッケン１３を受け取って、従来と同様に、安全ピンなどを用いてゼッケン１３を各自のシャツに取り付ける。
【００１４】
このようにして、ＩＣタグ８は常に参加者とともにあるとともに、参加者が違和感を覚えることはなく、通常状態で走ることができる一方、この走行中に前記ＩＣタグ８がＩＣタグ収納ラベル１から脱却することはない。そして、前記ＩＣタグ８に登録したＩＤ番号を検出することで、この検出したＩＤ番号に対応するゼッケン番号の参加者を特定することができる。このＩＣタグ８の検出及びこの検出に基づく所要タイムの算出や着順の決定は、従来公知の方法で行うことができる。
【００１５】
ＩＣタグ８の回収は、ゴール後の参加者が、ゼッケン１３の裏面側に手を入れ、円弧状スリット１２部分を摘んで引き上げると、前記各ミシン目１１ａ，１１ｂ，１１ｃは破断し、図７に示すように、三角形状の大きな開口が形成されるので、ここからＩＣタグ８を取り出せばよいものである。このように、本実施形態にあっては、ゼッケン１３を取り外すことなく、ＩＣタグ８の回収が可能である。もちろん、ゼッケン１３を取り外した後に、各ミシン目を１１ａ，１１ｂ，１１ｃを破断して、ＩＣタグ８を回収することもできる。
【００１６】
なお、本発明は、上述の実施形態に限定されるものではなく、例えば、破断用ミシン目１１ａ，１１ｂ，１１ｃの破断開始端に設ける指で摘む部分を形成するスリット１２は、円弧状などの曲線状ではなく、山型などの直線状でもよい。また、各ミシン目１１ａ，１１ｂ，１１ｃの交わる所定長部分をスリットに替えて、破断開始端としてもよい。さらに、樹脂フィルム５は透明でなくてもよいものである。
【図面の簡単な説明】
【００１７】
【図１】ＩＣタグ収納ラベルの正面図。
【図２】同じく背面図。
【図３】図１の概略的なＡ−Ａ線断面図。
【図４】接着構造を示す概略的な部分拡大断面図。
【図５】ＩＣタグを収納したＩＣタグ収納ラベルをゼッケンの裏面に貼付した状態を示す正面図。
【図６】図５のＢ−Ｂ線断面図
【図７】破断用ミシン目の破断状態を示す正面図。
【符号の説明】
【００１８】
１      ＩＣタグ収納ラベル
２      基材
３，６      粘着剤
４      剥離紙
５      樹脂フィルム
７      ＩＣタグ収納空間
８      ＩＣタグ
９      挿入口
１０      スリット
１１ａ，１１ｂ，１１ｃ      ミシン目
１２      円弧状スリット
１３      ゼッケン
【図１】
2006145981.tif 000003
【図２】
2006145981.tif 000004
【図３】
2006145981.tif 000005
【図４】
2006145981.tif 000006
【図５】
2006145981.tif 000007
【図６】
2006145981.tif 000008
【図７】
2006145981.tif 000009